(57)【特許請求の範囲】
【請求項１】
複数の文字板領域に分割されてそれぞれに所属の表示対象用の目盛が付され、かつ照明された文字板と、それぞれの文字板領域で目盛を指示する発光式の共通の指針とを備え、表示選択信号に応答して指針駆動回路により駆動された指針が、選択された表示対象用の文字板領域で指示した目盛をメータ前面のスモークレンズを通して読取るようになった指針メータにおいて、
それぞれの文字板領域を照明する複数個の専用のランプと、表示選択信号に応答していずれかの前記ランプを選択的に作動させる文字板照明用ランプ駆動回路とを備えると共に、前記表示選択信号に応答して、指針が他の前記文字板領域に移動するのに要する時間に対応して前記ランプの駆動を中断させる中断制御手段が前記文字板照明用ランプ駆動回路に付属したことを特徴とする指針メータ。
【請求項２】
指針を発光させるランプを作動させる指針発光用ランプ駆動回路に、表示選択信号に応答して、前記指針が他の文字板領域に移動するのに要する時間に対応して前記ランプの駆動を中断させる中断制御手段が付属したことを特徴とする請求項１記載の指針メータ。
【発明の詳細な説明】
【０００１】
【発明の属する技術分野】
本発明は、複数の文字板領域に分割されてそれぞれに所属の表示対象用の目盛が付され、かつ照明された文字板に対して、選択された表示対象用の文字板領域で発光式の共通の指針により目盛を指示するようになった指針メータに関するものである。
【０００２】
【従来の技術】
この種の１個の文字板を用いた切換式の指針メータによれば、選択された表示対象の文字板領域に指針が移動することにより複数の表示対象の指示値を選択的に表示することができる。
【０００３】
【発明が解決しようとする課題】
しかしながら、表示対象を切換えるための選択操作時に指針が大きく他の文字板領域に移動するために、指示値の表示装置として紛らわしく、場合により読取りの誤認を生じる恐れもある。
【０００４】
本発明は、このような点に鑑みて、冒頭に述べた類の指針メータにおいて、表示切換時の視認性を向上させることを目的とする。
【０００５】
【課題を解決するための手段】
本発明は、この目的を達成するために、請求項１により、複数の文字板領域に分割されてそれぞれに所属の表示対象用の目盛が付され、かつ照明された文字板と、それぞれの文字板領域で目盛を指示する発光式の共通の指針とを備え、表示選択信号に応答して指針駆動回路により駆動された指針が、選択された表示対象用の文字板領域で指示した目盛をメータ前面のスモークレンズを通して読取るようになった指針メータにおいて、それぞれの文字板領域を照明する複数個の専用のランプと、表示選択信号に応答していずれかのランプを選択的に作動させる文字板照明用ランプ駆動回路とを備えると共に、表示選択信号に応答して、指針が他の文字板領域に移動するのに要する時間に対応してランプの駆動を中断させる中断制御手段が文字板照明用ランプ駆動回路に付属したことを特徴とする。
【０００６】
インストルメントパネル等で選択操作が行われると、中断制御手段が文字板照明用ランプ駆動回路によるランプの駆動を中断させ、文字板照明が指針の移動中消灯する。請求項２により、指針を発光させるランプを作動させる指針発光用ランプ駆動回路に、表示選択信号に応答して、指針が他の文字板領域に移動するのに要する時間に対応してランプの駆動を中断させる中断制御手段が付属していることにより、文字板の照明と共に指針の発光も中断される。
【０００７】
【発明の実施の形態】
図１及び図２を基に本発明の実施の形態の一例による指針メータを説明する。９はインストルメントパネル１に設けられた回転切換式の指針メータである。そのケース１９には、駆動軸１４を介して指針１０を表示対象及びその指示値に応じて回転駆動する指針モータ１１が収納されている。プリント基板１２には指針発光用ランプとしてＬＥＤ１６がリング状に配列されており、周知のように、その照射光をリング状の受光部１５に入射させてキャップ１３に設けられた導光部を通して透光性の指針１０を発光させるようになっている。
【０００８】
文字板２０には、図２に示すように、例えばエンジン回転及び電圧もしくは燃料残量を表示対象としてそれぞれ目盛が付された２種類の文字板領域２０ａ、２０ｂが形成されている。これらの裏側には、ケース１９とリング状及び放射状の遮光板２４、２４ａとで遮光室が形成されて、ランプ２１ａ、２１ｂが収納されている。これにより、所属の拡散板２２ａ、２２ｂを通して文字板領域２０ａ、２０ｂが照明される。
【０００９】
文字板２０の先方は円周面状の見返し板２９で包囲され、その先端のメータ前面にはスモークレンズ２８が設けられている。これにより、文字板２０はランプ２１ａ、２１ｂが消灯している状態では見えないようになっている。
【００１０】
指針モータ１１には、インストルメントパネルでの表示選択操作による表示選択信号に応答して、指針１０を所属の文字板領域２０ａ又は２０ｂに回動させ、さらにエンジン回転又は電圧もしくは燃料残量の測定量に応じた目盛位置に回動させる指針駆動回路３０が付属している。
【００１１】
ＬＥＤ１６には、指針発光用ランプ駆動回路３１が付属している。ランプ２１ａ、２１ｂには、表示選択信号に応答して所属のランプ２１ａ、２１ｂを作動させる切換回路３２ａを有する文字板照明用ランプ駆動回路３２が付属している。さらに、これらの文字板照明用及び指針発光用ランプ駆動回路３１、３２には、表示選択信号に応答して指針駆動回路３０により駆動されて他の文字板領域に指針１０が移動して目盛指示するのに要する時間に相当するタイマ時間の間、駆動を中断させる中断制御手段３３が付属している。尚、中断制御手段３３は、マイコン利用のメータ用ＥＣＵにおいて同一機能を果たすようにプログラムを組むことにより構成することもできる。
【００１２】
このように構成された指針メータの動作は次の通りである。インストルメントパネル１での切換操作による表示選択信号に応答して指針駆動回路３０は指針１０を文字板領域２０ａ又は２０ｂに回動させ、さらに測定値に応じた目盛位置に回動させて目盛指示を行っている。その際、指針１０はＬＥＤ１６により発光させられ、ランプ２１ａ又は２１ｂにより所属の文字板領域２０ａ又は２０ｂが照明されている。
【００１３】
表示選択信号が切換わると、中断制御手段３３がランプ２１ａ、２１ｂ及びＬＥＤ１６の駆動入力の供給を所定時間中断させる。したがって、その消灯の間スモークレンズ２８の介在によりメータ内部は見えなくなる。この間指針駆動回路３０は、新たな表示選択信号に応答して共通の指針１０を他の文字板領域２０ｂ又は２０ａへ移動させて、その測定値を指示する。所定の消灯時間の経過後に中断制御手段３３の中段制御が終了すると、指針１０が発光し、同時に所属の文字板領域２０ｂ又は２０ａも照明される。したがって、文字板が見える状態での指針移動に伴う過渡的な紛らわしい表示が回避され、また選択的な点灯により文字板領域２０ａ、及び２０ｂを有する２個の指針メータが存在するような視覚作用が得られる。
【００１４】
尚、前述の実施の形態に代えて、簡単な構成のために、指針１０の発光は中断させずに、文字板の照明のみを中断しても良い。本発明は、指針の移動経路が直線状の帯状の文字板、或は３個以上の文字板領域を有する円又は帯状の文字板を有する指針メータにも適用される。
【００１５】
【発明の効果】
請求項１の発明によれば、メータの表示対象が切換られる際に、文字板が見えなくなり、指針の他の文字板領域への移動に伴う過渡的な紛らわしい目盛指示が回避され、誤認も生じなくなる。また、使用する文字板領域のみ照明されるために、複数個のメータが存在するような視覚作用が得られる。請求項２の発明によれば、メータの表示対象が切換られる際に、指針も見えなくなり、複数個のメータに見せる視覚作用が一層強められる。
【図面の簡単な説明】
【図１】本発明の実施の形態による指針メータの断面図及び付属回路の構成を示す。
【図２】同指針メータの文字板の正面図である。
【符号の説明】
１０  指針
１６  ＬＥＤ
２０  文字板
２０ａ、２０ｂ  文字板領域
２８  スモークレンズ
３３  中断制御手段
【図１】
0003691989.tif 000002
【図２】
0003691989.tif 000003